(57)【要約】【課題】本発明はペリスコープレンズモジュール及びそれに適用されるプリズム装置を提供する。【解決手段】プリズム装置はプリズム、載置部材、支持部材、ボール、弾性部材及び駆動部材を備え、載置部材はキャリアを備え、ボールはキャリアの頂部に取り付けられ、支持部材はプリズムスタンド、駆動スタンド、及びプリズムスタンドと駆動スタンドとの間に接続され、ボールと協働して回動する回転スタンドを備え、弾性部材は第１弾性スタンド及び第２弾性スタンドを備え、第１弾性スタンドは第１押当部を有し、第２弾性スタンドは第２押当部を有し、第１押当部と第２押当部は夫々ボールの両側から間隔を隔てて回転スタンドの頂部に押し付けられて回転スタンド及びボールをキャリアに押し付け、駆動部材は載置部材と駆動スタンドに接続されて、支持部材がプリズムを回転させるように駆動する。本発明はプリズムを調節する構成を簡素化させつつ、防振も図れる。【選択図】図１
2021524930.tif 000002
【特許請求の範囲】
【請求項１】
ペリスコープレンズモジュールに適用されるプリズム装置であって、
プリズムと、載置部材と、支持部材と、ボールと、弾性部材と、駆動部材とを備え、
前記載置部材は、キャリアを備え、前記ボールは、前記キャリアの頂部に取り付けられ、前記支持部材は、プリズムスタンドと、駆動スタンドと、前記プリズムスタンドと前記駆動スタンドとの間に接続されるとともに、前記ボールと協働して回動する回転スタンドとを備え、前記弾性部材は、第１弾性スタンドと、第２弾性スタンドとを備え、前記第１弾性スタンドは、第１押当部を有し、前記第２弾性スタンドは、第２押当部を有し、前記第１押当部と前記第２押当部は、それぞれ前記ボールの両側から間隔を隔てて前記回転スタンドの頂部に押し付けられることで前記回転スタンド及び前記ボールを前記キャリアに押し付け、前記駆動部材は、前記載置部材と前記駆動スタンドとの間に接続されて、前記支持部材が前記プリズムを回転させるように駆動することを特徴とするペリスコープレンズモジュールに適用されるプリズム装置。
【請求項２】
前記キャリアの頂部には、前記ボールを配置して位置決める位置決め溝が凹設され、前記回転スタンドの前記キャリアに向かう側には、前記ボールと嵌合する弧状凹溝が凹設されていることを特徴とする請求項１に記載のペリスコープレンズモジュールに適用されるプリズム装置。
【請求項３】
前記載置部材は、前記駆動スタンドに平行に設けられる固定スタンドと、一端が前記固定スタンドに接続される台座とをさらに備え、前記キャリアは、前記台座に設けられ、前記駆動部材は、前記固定スタンドと前記駆動スタンドとの間に接続されていることを特徴とする請求項１に記載のペリスコープレンズモジュールに適用されるプリズム装置。
【請求項４】
前記固定スタンドは、一端が前記台座に接続される側板と、前記側板と前記駆動スタンドとの間に設けられるＦＰＣ板と、複数のスナップフィット部材とを備え、前記スナップフィット部材の一端は、前記ＦＰＣ板及び前記側板に穿設されて前記ＦＰＣ板を前記側板に固定することを特徴とする請求項３に記載のペリスコープレンズモジュールに適用されるプリズム装置。
【請求項５】
前記側板の前記台座から離れる一端には、前記プリズムスタンドが前記載置部材から移出することを制限するための第１ストッパ板が設けられ、前記台座の前記固定スタンドから離れる一端には、前記プリズムスタンドが前記載置部材から移出することを制限するための第２ストッパ板が設けられていることを特徴とする請求項４に記載のペリスコープレンズモジュールに適用されるプリズム装置。
【請求項６】
前記台座には、前記キャリアが移動することを制限するための係止溝が設けられていることを特徴とする請求項３に記載のペリスコープレンズモジュールに適用されるプリズム装置。
【請求項７】
前記第１弾性スタンドは、第１押当部の両端から折り曲げて延在する２つの第１延出部と、第１延出部の末端に接続される第１折曲部と、第１折曲部の末端から延在する第２延出部と、第２延出部の末端から折り曲げてなる第１取付部とをさらに備え、第２弾性スタンドは、第２押当部の両端から折り曲げて延在する２つの第３延出部と、第３延出部の末端に接続される第２折曲部と、第２折曲部の末端から延在する第４延出部と、第４延出部の末端から折り曲げてなる第２取付部とを備え、前記第１取付部と第２取付部とは、いずれも前記係止溝内に係止設置されていることを特徴とする請求項６に記載のペリスコープレンズモジュールに適用されるプリズム装置。
【請求項８】
前記駆動部材は、複数の形状記憶合金線、前記駆動スタンドの前記固定スタンドに近接する側には、複数のフックが設けられ、各前記形状記憶合金線の両端は、隣り合う２つのスナップフィットにそれぞれ固定され、各前記形状記憶合金線の中部は、対応する前記フックに接続されていることを特徴とする請求項４に記載のペリスコープレンズモジュールに適用されるプリズム装置。
【請求項９】
前記回転スタンドの前記ボールから離れる側には、第１突起及び第２突起が設けられ、前記第１押当部は、前記第１突起に押し付けられ、前記第２押当部は、前記第２突起に押し付けられていることを特徴とする請求項１に記載のペリスコープレンズモジュールに適用されるプリズム装置。
【請求項１０】
ペリスコープレンズモジュールであって、
レンズ装置と、画像センサと、請求項１〜９のいずれか１項に記載のペリスコープレンズモジュールに適用されるプリズム装置を備え、
前記レンズ装置は、前記ペリスコープレンズモジュールに適用されるプリズム装置と前記画像センサとの間に設けられていることを特徴とするペリスコープレンズモジュール。
【発明の詳細な説明】
【技術分野】
【０００１】
本発明は、光学結像の技術分野に関し、特にペリスコープレンズモジュー及びペリスコープレンズモジュールに適用されるプリズム装置に関する。
【背景技術】
【０００２】
近年、結像技術の発展及び結像機能を有する電子製品の勃興と伴い、光学レンズは、様々な電子製品に広く応用されている。従来のペリスコープレンズモジュールには、防振機能を有するプリズム装置が必要となる。
【発明の概要】
【発明が解決しようとする課題】
【０００３】
本発明は、防振機能を実現するためのペリスコープレンズモジュールに適用されるプリズム装置を提供することを目的とする。
【課題を解決するための手段】
【０００４】
上記目的に達成するために、本発明はペリスコープレンズモジュールに適用されるプリズム装置を提供し、ペリスコープレンズモジュールに適用されるプリズム装置は、プリズムと、載置部材と、支持部材と、ボールと、弾性部材と、駆動部材とを備え、前記載置部材は、キャリアを備え、前記ボールは、前記キャリアの頂部に取り付けられ、前記支持部材は、プリズムスタンドと、駆動スタンドと、前記プリズムスタンドと前記駆動スタンドとの間に接続されるとともに、前記ボールと協働して回動する回転スタンドとを備え、前記弾性部材は、第１弾性スタンドと、第２弾性スタンドとを備え、前記第１弾性スタンドは、第１押当部を有し、前記第２弾性スタンドは、第２押当部を有し、前記第１押当部と前記第２押当部は、それぞれ前記ボールの両側から間隔を隔てて前記回転スタンドの頂部に押し付けられることで前記回転スタンド及び前記ボールを前記キャリアに押し付け、前記駆動部材は、前記載置部材と前記駆動スタンドとの間に接続されて、前記支持部材が前記プリズムを回転させるように駆動する。
【０００５】
さらに、前記キャリアの頂部には、前記ボールを配置して位置決める位置決め溝が凹設され、前記回転スタンドの前記キャリアに向かう側には、前記ボールと嵌合する弧状凹溝が凹設されている。
【０００６】
さらに、前記載置部材は、前記駆動スタンドに平行に設けられる固定スタンドと、一端が前記固定スタンドに接続される台座とをさらに備え、前記キャリアは、前記台座に設けられ、前記駆動部材は、前記固定スタンドと前記駆動スタンドとの間に接続されている。
【０００７】
さらに、前記固定スタンドは、一端が前記台座に接続される側板と、前記側板と前記駆動スタンドとの間に設けられるＦＰＣ板と、複数のスナップフィット部材とを備え、前記スナップフィット部材の一端は、前記ＦＰＣ板及び前記側板に穿設されて前記ＦＰＣ板を前記側板に固定する。
【０００８】
さらに、前記側板の前記台座から離れる一端には、前記プリズムスタンドが前記載置部材から移出することを制限するための第１ストッパ板が設けられ、前記台座の前記固定スタンドから離れる一端には、前記プリズムスタンドが前記載置部材から移出することを制限するための第２ストッパ板が設けられている。
【０００９】
さらに、前記台座には、前記キャリアが移動することを制限するための係止溝が設けられている。
【００１０】
さらに、前記第１弾性スタンドは、第１押当部の両端から折り曲げて延在する２つの第１延出部と、第１延出部の末端に接続される第１折曲部と、第１折曲部の末端から延在する第２延出部と、第２延出部の末端から折り曲げてなる第１取付部とをさらに備え、第２弾性スタンドは、第２押当部の両端から折り曲げて延在する２つの第３延出部と、第３延出部の末端に接続される第２折曲部と、第２折曲部の末端から延在する第４延出部と、第４延出部の末端から折り曲げてなる第２取付部とを備え、前記第１取付部と第２取付部とは、いずれも前記係止溝内に係止設置されている。
【００１１】
さらに、前記駆動部材は、複数の形状記憶合金線、前記駆動スタンドの前記固定スタンドに近接する側には、複数のフックが設けられ、各前記形状記憶合金線の両端は、隣り合う２つのスナップフィットにそれぞれ固定され、各前記形状記憶合金線の中部は、対応する前記フックに接続されている。
【００１２】
さらに、前記回転スタンドの前記ボールから離れる側には、第１突起及び第２突起が設けられ、前記第１押当部は、前記第１突起に押し付けられ、前記第２押当部は、前記第２突起に押し付けられている。
【００１３】
本発明は、さらにペリスコープレンズモジュールを提供し、ペリスコープレンズモジュールは、レンズ装置と、画像センサと、上記ペリスコープレンズモジュールに適用されるプリズム装置とを備え、前記レンズ装置は、前記ペリスコープレンズモジュールに適用されるプリズム装置と前記画像センサとの間に設けられている。
【発明の効果】
【００１４】
本発明の有益な効果は以下の通りである。駆動部材を載置部材と駆動スタンドとの間に接続することで、駆動部材は、駆動スタンドを移動させて、回転スタンドがボールを支点として動くようにし、第１弾性スタンドと第２弾性スタンドによって復元力が提供され、さらにプリズムスタンドを移動させ、プリズムの角度の調節を実現し、構成は簡単であり、且つ防振を実現することができる。
【図面の簡単な説明】
【００１５】
【図１】本発明の実施例に係るペリスコープレンズモジュールに適用されるプリズム装置の模式図である。
【図２】図１に示すペリスコープレンズモジュールに適用されるプリズム装置の爆発概略図である。
【図３】本発明の実施例に係る載置部材の模式図である。
【図４】本発明の実施例に係るキャリアの模式図である。
【図５】本発明の実施例に係る弾性部材５の模式図である。
【図６】本発明の実施例に係る駆動スタンドの模式図である。
【図７】本発明の実施例に係るペリスコープレンズモジュールの模式図である。
【発明を実施するための形態】
【００１６】
なお、本発明の実施例において、全ての方向指示（例えば、上、下、内、外、頂部、底部など）は、ある特定の姿勢（図に示されているように）での各部材間の相対的な位置関係を説明するためにのみ使用され、当該姿勢が変わると、当該方向指示もそれに応じて変わる。
【００１７】
なお、要素が別の要素に「固定」又は「設置」されていると呼ばれる場合、、当該要素は、別の要素に直接あり、又は同時に仲介要素が存在し得る。要素が別の要素に「接続」されていると呼ばれる場合、当該要素は、別の要素に直接接続され、又は同時に仲介要素が存在し得る。
【００１８】
図１〜２を参照すると、本発明の実施例に係るペリスコープレンズモジュールに適用されるプリズム装置１００は、プリズム１、載置部材２、支持部材３、ボール４、弾性部材５及び駆動部材６を備え、載置部材２は、キャリア２１を備え、ボール４は、キャリア２１の頂部に取り付けられ、支持部材３は、プリズムスタンド３１、駆動スタンド３２、及びプリズムスタンド３１と駆動スタンド３２との間に接続されるとともに、ボール４と協働して回動する回転スタンド３３を備え、弾性部材５は、第１弾性スタンド５１と第２弾性スタンド５２を備え、第１弾性スタンド５１は、第１押当部５１１を有し、第２弾性スタンド５２は、第２押当部５２１を有し、第１押当部５１１と第２押当部５２１は、それぞれボール４の両側から間隔を隔てて回転スタンド３３の頂部に押し付けられて回転スタンド３３及びボール４をキャリア２１に押し付け、駆動部材６は、載置部材２と駆動スタンド３２との間に接続されて支持部材３がプリズム１に載置部材２に対して回転させるように駆動する。駆動スタンド３２は、駆動部材６の作用で、Ｚ軸に垂直な平面内を移動して、回転スタンド３３がボール４周りに動くようにし、さらに、プリズムスタンド３１が動くようにし、また、第１弾性スタンド５１と第２弾性スタンド５２によって復元力が提供され、プリズム１の角度の調節を実現し、調節構成は簡単であり、且つ防振を実現することができる。
【００１９】
なお、本発明では、キャリア２１の幅方向をＸ軸方向と定義し、キャリア２１の高さ方向をＹ軸方向と定義し、キャリア２１の長さ方向をＺ軸方向と定義し、Ｘ軸方向、Ｙ軸方向及びＺ軸方向は、２つずつ互いに垂直である。
【００２０】
図２に示すように、キャリア２１の頂部には、ボール４を配置して位置決める位置決め溝２１１が凹設され、回転スタンド３３のキャリア２１に向かう側には、ボール４と嵌合するための弧状凹溝（図示せず）が凹設され、回転スタンド３３は、弧状凹溝とボール４との嵌合により、ボール４周りに動くことができる。
【００２１】
図２〜３に示すように、載置部材２は、駆動スタンド３２に平行に設けられる固定スタンド２２と、一端が固定スタンド２２に接続される台座２３とをさらに備え、キャリア２１は、台座２３に設けられ、固定スタンド２２は、台座２３に垂直に設けられ、駆動部材６は、固定スタンド２２と駆動スタンド３２との間に接続されている。
【００２２】
固定スタンド２２は、一端が台座２３に接続される側板２２１と、側板２２１と駆動スタンド３２との間に設けられるＦＰＣ板（フレキシブル回路板）２２２と、複数のスナップフィット部材２２３を備え、スナップフィット部材２２３の一端は、ＦＰＣ板２２２及び側板２２１に穿設されて、ＦＰＣ板２２２を側板２２１に固定し、ＦＰＣ板２２２は、駆動部材６に電気信号を供給して駆動部材６の移動を制御する。
【００２３】
図１〜３に示すように、側板２２１の台座２３から離れる一端には、プリズムスタンド３１が載置部材２から移出することを制限するための第１ストッパ板２２４が設けられることで、プリズムスタンド３１がＹ軸方向において移動する範囲を規定し、台座２３の固定スタンド２２から離れる一端には、プリズムスタンド３１が載置部材２から移出することを制限するための第２ストッパ板２２５が設けられることで、プリズムスタンド３１がＺ軸方向において移動する範囲を規定する。台座２３には、キャリア２１が移動することを制限する係止溝２２６がさらに設けられ、キャリア２１は、係止溝２２６内に設けられてキャリア２１の固定を図る。
【００２４】
図４〜５に示すように、第１弾性スタンド５１は、第１押当部５１１の両端から折り曲げて延在する２つの第１延出部５１２と、第１延出部５１２の末端に接続される第１折曲部５１３と、第１折曲部５１３の末端から延在する第２延出部５１４と、第２延出部５１４の末端から折り曲げてなる第１取付部５１５をさらに備える。好ましくは、第１折曲部５１３は、Ｕ字状構造であり、Ｕ字状構造の両端は、それぞれ第１延出部５１２と第２延出部５１４に接続され、第１延出部５１２は、第２延出部５１４に平行に設けられ、第１折曲部５１３は、台座２３に平行に設けられ、第１取付部５１５は、台座２３に平行であり、係止溝２２６内に係止設置され、２つの第１取付部５１５は、それぞれキャリア２１の両端に突き当てる。
【００２５】
第２弾性スタンド５２は、第２押当部５２１の両端から折り曲げて延在する２つの第３延出部５２２、第３延出部５２２の末端に接続される第２折曲部５２３、第２折曲部５２３の末端から延在する第４延出部５２４、第４延出部５２４の末端から折り曲げてなる第２取付部５２５をさらに備え。好ましくは、第２折曲部５２３は、Ｕ字状構造であり、Ｕ字状構造の両端は、それぞれ第３延出部５２２と第４延出部５２４に接続され、第３延出部５２２は、第４延出部５２４に平行に設けられ、第２折曲部５２３は、台座２３に平行に設けられ、第２取付部５２５は、台座２３に平行であり、係止溝２２６内に係止設置され、２つの第２取付部５２５は、それぞれキャリア２１の両端に突き当てる。
【００２６】
回転スタンド３３のボール４から離れる側には、第１突起３３１及び第２突起３３２が設けられ、第１押当部５１１は、第１突起３３１に押し付けられ、第２押当部５２１は、第２突起３３２に押し付けられて、弾性部材５とキャリア２１との実装の効率及び正確性を向上させる。好ましくは、第１押当部５１１の両端間の中間部位には、幅増大部が設けられて、第１押当部５１１と第１突起３３１との当接面積を増やす。第２押当部５２１の両端間の中間部位には、幅増大部が設けられて、第２押当部５２１と第２突起３３２との当接面積を増やす。
【００２７】
図２、図３及び図６に示すように、駆動部材６は、複数の形状記憶合金線６０を備え、駆動スタンド３２の固定スタンド２２に近接する側には、複数のフック３２１が設けられ、スナップフィット部材２２３の固定スタンド２２から離れる一端はＵ字状構造であり、各形状記憶合金線６０の両端は、隣り合う２つのスナップフィット部材２２３のＵ字状構造内にそれぞれ固定され、各形状記憶合金線６０の中部は、対応するフック３２１に接続されている。好ましくは、形状記憶合金線６０及びフック３２１の数は、いずれも４つであり、スナップフィット部材２２３の数は、８つである。８つのスナップフィット２２３は、２つずつが固定スタンド２２の４つの角に分布し、４つのフック３２１は、駆動スタンド３２の中間に設けられ、且つ、２つずつは対向設置されている。
【００２８】
具体的に、４つの形状記憶合金線６０は、それぞれ第１形状記憶合金線６１、第２形状記憶合金線６２、第３形状記憶合金線６３及び第４形状記憶合金線６４と定義することができ、、各形状記憶合金線６０は、Ｖ字状をなす。ここで、第１形状記憶合金線６１及び第３形状記憶合金線６３は、Ｙ軸方向においてそれぞれ固定スタンド２２の上下両側に設けられ、且つ第１形状記憶合金線６１は、第３形状記憶合金線６３の上方に位置し、第２形状記憶合金線６２及び第４形状記憶合金線６４は、Ｘ軸方向においてそれぞれ固定スタンド２２の左右両側に設けられ、第２形状記憶合金線６２は、右側に位置し、第４形状記憶合金線６４は、左側に位置する。
【００２９】
具体的な操作の時、第１形状記憶合金線６１が通電され、発熱して短くなると、駆動スタンド３２は、斜め上方への引っ張り力を受けてこの力を回転スタンド３３に伝達することにより、回転スタンド３３は、ボール４を支点としてＸ軸周りに反時計回りに回転し、これによって、プリズム１がキャリア２１に対してＸ軸周りに反時計回りに回転するようにする。第３形状記憶合金線６３が通電され、発熱して短くなると、プリズム１は、キャリア２１に対してＸ軸周りに時計回りに回転し、第２形状記憶合金線６２が通電され、発熱して短くなると、プリズム１は、キャリア２１に対してＹ軸周りに１方向に回転することができ、第４形状記憶合金線６４が通電され、発熱して短くなると、プリズム１は、キャリア２１に対してＹ軸周りに他の逆方向に回転することができる。本願の形状記憶合金線６０は、ＳＭＡ線と呼ばれてもよく、従来技術の形状記憶合金線であり、ここで詳細に説明しない。
【００３０】
図７を参照すると、本発明は、ペリスコープレンズモジュールをさらに提供し、ペリスコープレンズモジュールは、レンズ装置２００と、画像センサ３００と、上記ペリスコープレンズモジュールに適用されるプリズム装置１００とを備え、レンズ装置２００は、ペリスコープレンズモジュールに適用されるプリズム装置１００と画像センサ３００との間に設けられている。光線は、ペリスコープレンズモジュールに適用されるプリズム装置１００で反射されてから、レンズ装置２００の軸線方向に直線に沿って画像センサ３００に到達する。
【００３１】
以上は本発明の実施形態に過ぎず、当業者であれば本発明の思想を逸脱することなく改良を加えることができるが、これらは全て本発明の保護範囲に含まれる。
【符号の説明】
【００３２】
１００  ペリスコープレンズモジュールに適用されるプリズム装置
１  プリズム
２  載置部材
２１  キャリア
２１１  位置決め溝
２２  固定スタンド
２２１  側板
２２２  ＦＰＣ板
２２３  スナップフィット部材
２２４  第１ストッパ板
２２５  第２ストッパ板
２２６  係止溝
２３  台座
３  支持部材
３１  プリズムスタンド
３２  駆動スタンド
３２１  フック
３３  回転スタンド
３３１  第１突起
３３２  第２突起
４  ボール
５  弾性部材
５１  第１弾性スタンド
５１１  第１押当部
５１２  第１延出部
５１３  第１折曲部
５１４  第２延出部
５１５  第１取付部
５２  第２弾性スタンド
５２１  第２押当部
５２２  第３延出部
５２３  第２折曲部
５２４  第４延出部
５２５  第２取付部
６  駆動部材
６０  形状記憶合金線
６１  第１形状記憶合金線
６２  第２形状記憶合金線
６３  第３形状記憶合金線
６４  第４形状記憶合金線
２００  レンズ装置
３００  画像センサ
【図１】
2021524930.tif 000003
【図２】
2021524930.tif 000004
【図３】
2021524930.tif 000005
【図４】
2021524930.tif 000006
【図５】
2021524930.tif 000007
【図６】
2021524930.tif 000008
【図７】
2021524930.tif 000009
【国際調査報告】
2021524930.tif 000010
2021524930.tif 000011
2021524930.tif 000012
2021524930.tif 000013
2021524930.tif 000014
2021524930.tif 000015